(57)【特許請求の範囲】
【請求項１】
遊星転動型ねじ山付きスピンドル（ＰＷＧ）（１）を備えるアクチュエータであって、スピンドル（３）に複数の遊星ローラ（４．２）が係合し、前記遊星ローラ（４．２）は、前記遊星ローラ（４．２）を取り囲むリングギヤ（４．１）に噛み合い、前記遊星ローラ（４．２）は、両端部において遊星ローラキャリア（４．３）内に位置決めされており、前記遊星ローラキャリア（４．３）は、前記リングギヤ（４．１）を取り囲むとともに両端部において半径方向内向きとされているスリーブ（４）内に相対回動不能に支持されており、
前記スリーブ（４）と、前記スリーブ（４）内に支持された前記遊星ローラキャリア（４．３）とは、軸方向で固定され、駆動装置のロータ（Ｒ）に相対回動不能に結合され、かつ回転軸線（Ａ）周りに駆動可能であり、
前記スピンドル（３）は、ハウジング（２）及び前記駆動装置のステータ（Ｓ）に関して相対回動不能に支持されており、かつ
前記スピンドル（３）は、前記ロータ（Ｒ）と、前記スリーブ（４）内に支持された前記遊星ローラキャリア（４．３）との回転時、軸方向のストローク（Ｈ）を行なう、アクチュエータにおいて、
前記スピンドル（３）は、前記アクチュエータの電子装置構成群（５）を収容する電子装置ハウジング（６）内に軸方向で少なくとも部分的に埋没され、前記電子装置構成群（５）は、前記スピンドル（３）を導入し得る中空室を有し、
前記スリーブ（４）は、軸方向で、ロータキャリア（９）の半径方向内向きの第１のフランジ（９．２）と、キャリア要素（１３）の半径方向内向きの第２のフランジ（１３．２）との間に固定されており、前記ロータキャリア（９）と前記キャリア要素（１３）とは、互いに相対回動不能に結合されており、前記キャリア要素（１３）は、信号発生器（１５）を相対回動不能に保持する
ことを特徴とする、アクチュエータ。
【請求項２】
ロータキャリア（９）とキャリア要素（１３）との間の前記結合は、ねじ結合の形態で形成されており、このために、前記ロータキャリア（９）は雌ねじ山（９．１）を、前記キャリア要素（１３）は雄ねじ山（１３．１）を有し、前記ロータキャリア（９）は、軸方向で不動に軸受（１６）に結合されており、前記軸受（１６）は、前記スピンドル（３）を介して導入される軸方向力が前記ハウジング（２）に導出可能であるように、軸方向で遊びなしに前記ハウジング（２）に支持されている、請求項１に記載のアクチュエータ。
【請求項３】
前記スピンドル（Ｓ）の前記軸方向力は、方向転換があっても前記ロータキャリア（９）と前記軸受（１６）とを介して前記ハウジング（２）に導出可能である、請求項２に記載のアクチュエータ。
【請求項４】
前記スピンドル（Ｓ）は、相対回動不能にガイドナット（１７）を介して支持されている、請求項１に記載のアクチュエータ。
【請求項５】
前記ガイドナット（１７）は、前記スピンドル（Ｓ）の第１の端部に回り止めされて取り付けられ、ステータキャリア（２１）内に軸方向で可動に案内されており、前記ステータキャリア（２１）は、前記ハウジング（２）に対して相対回動不能、ひいては、前記駆動装置の前記ステータ（Ｓ）に対して相対回動不能であり、かつ前記スピンドル（３．２）の第２の端部に、操作すべき要素に対するインタフェースとして用いられる押圧部材（７）が相対回動不能に配置されている、請求項４に記載のアクチュエータ。
【請求項６】
前記押圧部材（７）及び／又は前記スピンドル（３．２）の前記第２の端部と、前記ハウジング（２）との間に、蛇腹ブーツ（８）が配置されている、請求項５に記載のアクチュエータ。
【請求項７】
前記遊星転動型ねじ山付きスピンドル（１）は、電動モータにより発生させたロータの回転運動を、前記スピンドル（３）の軸方向のストローク運動に変換する、請求項１から６までのいずれか１項に記載のアクチュエータ。
【請求項８】
基準取りを保証するばねセット（Ｆ）が、少なくとも前記スピンドル（３）の基準位置及びゼロ位置において、前記押圧部材（７）と前記軸受（１６）の軸受外レース（１６．２）との間で支持されている、請求項１から７までのいずれか１項に記載のアクチュエータ。
【発明の詳細な説明】
【技術分野】
【０００１】
本発明は、請求項１の上位概念部に記載の、遊星転動型ねじ山付きスピンドル（ＰＷＧ：Ｐｌａｎｅｔｅｎｗａｅｌｚｇｅｗｉｎｄｅｓｐｉｎｄｅｌ）を備えるアクチュエータに関する。
【背景技術】
【０００２】
遊星転動型ねじ山付きスピンドル（ＰＷＧ）（遊星転動型ねじ山付きスピンドル機構（Ｐｌａｎｅｔｅｎｗａｅｌｚｇｅｗｉｎｄｅｓｐｉｎｄｅｌｔｒｉｅｂ）ともいう）は、長年来の公知技術であって、例えばＤＤ０２７７３０８Ａ５に記載されている。独国特許出願公開第１０２０１００４７８００号明細書において、例えば、電動モータにより起こした回転運動を軸方向運動に変換するための、ハイドロスタティッククラッチアクチュエータの形態のハイドロスタティックアクチュエータ内に含まれている遊星転動型ねじ山機構が公知である。ねじ山付きスピンドルと、ねじ山付きスピンドル上に配置されるナットと、周囲にわたって分配され、ねじ山付きスピンドルとナットとの間に配置される複数の遊星体であって、ナットの内周及びねじ山付きスピンドルの外周に沿って転動可能に配置されている遊星体とを備える遊星転動型ねじ山機構が、独国特許出願公開第１０２０１００１１８２０号明細書において公知である。この解決手段にあっては、遊星体のための予圧装置が設けられている。ナットは、軸方向で互いに可動な２つのナット部分を有し、予圧装置は、一方のナット部分に対して弾接されるばね要素を有している。ナットは２つの機能を担っており、伝動機構の一部をなしながら、予圧装置の一部もなしている。
【０００３】
さらに、ねじ山付きスピンドル上に配置されるスピンドルナットと、周囲に分配配置される多数の遊星体であって、ねじ山付きスピンドルとスピンドルナットとに転動係合している遊星体とを備えるＰＷＧのスリップ検出のために絶対測定を実施することが公知（独国特許出願公開第１０２０１１０８８９９５号明細書参照）である。この場合、スピンドルナットに対して軸方向で移動不能に配置されるセンサ素子が、ねじ山付きスピンドルとスピンドルナットとの相互の軸方向の変位を検出するようになっている。スピンドルナットは、センサ素子を有するハウジングに、スピンドル軸線周りに回転可能に支持されている。
【０００４】
本願の出願時には未公開のある出願には、駆動装置を用いてＰＷＧを介し、ハウジング内に軸方向で移動可能に支持されているピストンを操作するようにした、自動車のクラッチ用のレリーズシステムが記載されている。
【０００５】
公知のシステムは、長大な軸方向の構造スペースを必要とし、比較的手間あるいはコストを要する構成となっている。
【０００６】
レリーズシステムにおいて使用される公知のセントラルレリーズ装置、例えば電動式のセントラルレリーズ装置は、比較的コンパクトに構成されているものの、軸方向で閉鎖されておらず、略環状の構造を有している。
【発明の概要】
【発明が解決しようとする課題】
【０００７】
本発明の課題は、必要とする構造スペースが小さくて済み、しかも構造が単純な、遊星転動型ねじ山機構を備えるアクチュエータを開発することである。
【課題を解決するための手段】
【０００８】
この課題は、請求項１の特徴により解決される。
【０００９】
有利な態様は、従属請求項に係る発明である。
【００１０】
本発明において、アクチュエータは、遊星転動型ねじ山付きスピンドル（ＰＷＧ）を備え、特に車両のクラッチ操作用に使用され、スピンドルに複数の遊星ローラが係合し、遊星ローラは、遊星ローラを取り囲むリングギヤに噛み合い、遊星ローラは、両端部において遊星ローラキャリア内に位置決めされており、遊星ローラキャリアは、リングギヤを取り囲むとともに両端部において半径方向内向きとされているスリーブ内に相対回動不能に支持されており、本発明によると、スリーブと、スリーブ内に支持された遊星キャリアとは、軸方向で固定され、駆動装置のロータに相対回動不能に結合され、かつ回転軸線周りに駆動可能であり、スピンドルは、相対回動不能に支持されており、かつロータと、スリーブ内に支持された遊星キャリアとの回転時、軸方向のストロークを行なう。
【００１１】
これにより、ロータに配設された遊星キャリアの回転を、スピンドルの軸方向の運動に変換することが初めて可能となる。従来技術とは異なり、これにより、スピンドルの軸方向の位置を特定するために、絶対距離センサが不要となる。それというのも、スピンドルの軸方向の位置は、スピンドルのリードを介して特定可能であるからである。
【００１２】
有利には、この構造により、スピンドルは、アクチュエータの電子装置を収容する電子装置ハウジング内に軸方向で少なくとも部分的に埋没されることができ、このために電子装置は、スピンドルを導入し得る中空室を有している。
【００１３】
必要な所要構造スペースは、スピンドルの直径×ストロークに略等しく、従来技術の場合と比較して明らかに小さくなり、したがって、アクチュエータの軸方向の構造スペースをかなり削減することができる。
【００１４】
スリーブをロータに配設するため、ひいては遊星キャリアをロータ側の配設とするため、スリーブは、軸方向で、ロータキャリアの半径方向内向きの第１のフランジと、キャリア要素の半径方向内向きの第２のフランジとの間に固定されており、半径方向でロータキャリアにより取り囲まれ、かつ相対回動不能にロータキャリアに結合されている。ロータ側のキャリア要素は、信号キャリアを相対回動不能に保持し、モータ電子装置には、回転を検出する回転センサが組み込まれている。
【００１５】
ロータキャリアとキャリア要素との間の結合は、好ましくは、ねじ結合の形態で形成されており、このために、ロータキャリアは雌ねじ山を、キャリア要素は雄ねじ山を有している。これにより、ロータキャリアとキャリア要素とは、簡単に互いに組み立て可能である。ねじ結合は、好ましくは、例えばねじのロックによって回り止めされるように構成される。
【００１６】
ロータキャリアは、軸方向で不動に軸受に結合されており、軸受は、スピンドルを介して導入される軸方向力をハウジングに、特に方向転換があっても導出可能であるように、軸方向で遊びなしにハウジングに支持されている。
【００１７】
この１つの軸受しか設けられておらず、第２のモータ軸受としては、同期ＰＷＧ（ｓｙｎｃｈｒｏｎｉｓｉｅｒｔｅｓ  ＰＷＧ）自体が用いられる。
【００１８】
スピンドルは、相対回動不能に例えばガイドナットを介して支持される。
【００１９】
ガイドナットを回り止めされた状態に取り付けるために、ガイドナットは、相対回動不能に、しかし軸方向では可動に中空輪郭内で案内されており、他方、中空輪郭は、ハウジングに対して相対回動不能、ひいては、駆動装置のステータに対して相対回動不能となっている。
【００２０】
スピンドルの第２の端部には、操作すべき要素（例えばレリーズシステムのピストン又は液圧室）に対するインタフェースとして用いられる押圧部材が相対回動不能に配置されている。
【００２１】
特にインタフェースが機械式であるとき、アクチュエータを外的な影響から保護するために、押圧部材及び／又はスピンドルの第２の端部とハウジングとの間に、ブーツ／蛇腹ブーツを使用可能である。
【００２２】
本発明に係るアクチュエータのために、好ましくは、同期ＰＷＧが使用され、所定の回転にスピンドルの所定の送り量が割り当てられている。
【００２３】
本発明による解決手段により、コストのかかるセンサシステムをこのために使用することなく、ロータに配設された遊星ピニオンキャリアの回転を介して、スピンドルの軸方向のストロークを特定することが可能である。それというのも、従来技術とは異なり、スピンドルの軸方向の位置を特定するのに、絶対距離センサが不要であるからである。
【００２４】
有利には、本発明による解決手段は、基準取りの可能性と組み合わされ、これにより、アクチュエータの、軸方向で可動の要素、ここではスピンドル、ひいては押圧部材の軸方向の基準位置（Ｒｅｆｅｒｅｎｚｐｏｓｉｔｉｏｎ）／ゼロ位置を特定することができる。
【００２５】
基準点（Ｒｅｆｅｒｅｎｚｐｕｎｋｔ）の特定のために、基準取りを保証するばねセットが設けられる。ばねセットは、少なくともスピンドルの基準位置及びゼロ位置において、押圧部材と軸受の外レースとの間で支持されている。押圧部材は、押し出し運動とは逆方向に、ばねセットに向かって、ばねセットが密着状態に緊張されるまで走行可能である。これにより、ばねセットの特性線を介して、ＰＷＧ、ひいてはスピンドル及び押圧部材のゼロ位置あるいは軸方向の基準点を特定することができる。
【００２６】
基準点／ゼロ点が既知となった後は、スピンドルのリードを介して、スピンドルの軸方向の位置、ひいては、スピンドルに結合されている、軸方向で可動の別の構成部材（第２のスリーブ／ピストン）の軸方向の位置の特定が可能となる。
【００２７】
両遊星キャリアは、リングギヤを取り囲む、両端部において半径方向内向きとされている第１のスリーブ内に相対回動不能に支持されており、スリーブは、相対回動不能に駆動装置のロータに直接結合され、軸方向で不動に保持されている。
【００２８】
ハウジングは、駆動装置（好ましくは電動モータ）を収容するモータブロックに相対回動不能に取り付けられている。
【００２９】
相対回動不能かつ軸方向で操作可能なスピンドルは、０とは異なるリードを有しており、有利には、角度／位置センサのための、相対回動不能にロータ構成群の一要素と結合されている角度発信器とだけ組み合わされている。
【００３０】
スリーブは、好ましくは、ツーピースに、つまり２つの部分から形成されており、スリーブの両半部は、例えば溶接されるか、その他の方法で互いに結合される。
【００３１】
以下、本発明について、一実施の形態を基に添付の図面を参照しながら詳述する。
【図面の簡単な説明】
【００３２】
【図１】従来技術によるアクチュエータの原理図である。
【図２】本発明に係るアクチュエータの原理図である。
【図３】アクチュエータの縦断面図である。
【図４】ロータ構成群の３次元図である。
【図５】ロータ構成群の縦断面図である。
【図６】遊星転動型ねじ山付きスピンドル（ＰＷＧ）の形態の伝動機構を示す図である。
【図７】信号発生器を有するキャリアを示す図である。
【図８】磁石キャリアを有するロータキャリアを示す図である。
【図９】ステータの３次元図である。
【図１０】ステータの縦断面図である。
【図１１】基準取り位置にあるアクチュエータの縦断面図である。
【図１２】ゼロ位置にあるアクチュエータの縦断面図である。
【図１３】最大で押し出された位置にあるアクチュエータの縦断面図である。
【発明を実施するための形態】
【００３３】
図１は、遊星転動型ねじ山付きスピンドルＰＷＧ１ａを備える従来技術によるアクチュエータの原理図である。駆動装置のステータＳａは、ハウジング２ａ内に嵌合されており、ステータＳａの半径方向内側には、ロータＲａが支持されている。ＰＷＧ１ａのスピンドル３ａが、ロータＲａとともに回転するようになっており、このために相対回動不能にロータＲａに結合されている。スピンドルＳａは、軸方向で不動にロータＲａに保持されており、ロータＲａとともに回転する。スピンドルＳａと噛み合う複数の遊星体と、これらの遊星体を取り囲むリングギヤと、遊星キャリア（ここでは不可視）とは、ＰＷＧハウジング４ａにより囲繞されており、スピンドルＳａの回転時、ストロークＨの形の軸方向運動を行なう。破線は、ストロークを経て最大に押し出された位置にある構成群を示している。スピンドルＳａとは反対側には、電子装置構成群５ａを収容する電子装置ハウジング６ａが配置されている。このアクチュエータは、長大な構造長さＬａを有している。
【００３４】
図２は、遊星転動型ねじ山付きスピンドル１を備える本発明に係るアクチュエータの原理図である。本発明に係るアクチュエータの場合も、駆動装置（電動モータ）のステータＳは、ハウジング２内に嵌合されている。ステータＳの半径方向内側には、ロータＲが支持されている。従来技術とは異なり、スピンドル３は、ハウジング側に相対回動不能にかつ軸方向で移動可能に配置されている。スピンドル３と噛み合う複数の遊星体と、これらの遊星体を取り囲むリングギヤと、遊星キャリア（ここでは不可視）とは、スリーブ４により囲繞されており、直接又は中間要素を介してロータＲに連結され、ロータＲの回転時に回転運動を行なう。図示しない遊星体と噛み合うスピンドル３は、最大のストロークＨの範囲内で軸方向のストローク運動を行なう。スピンドル３は、退入した位置では、第１の端部３．１でもって電子装置構成群５内、ひいては、この電子装置構成群５を収容する電子装置ハウジング６内に突入する。これにより、スピンドルＳの軸方向ストロークは、電子装置内に「退没」することができる。このとき、電子装置構成群５内における所要構造スペースは、スピンドル３の符号を付していない外径×ストロークＨに略等しい。スピンドルＳが後退した位置で電子装置構成群５内に没入する長さの分だけ、アクチュエータの長さは減少し、その結果、アクチュエータの構造長さＬは、ストロークＨが同じであれば、従来技術の場合と比較して明らかに小さくなる。スピンドル３の第２の端部３．２には、押圧部材７が取り付けられている。押圧部材７は、図示しない操作すべき要素に作用する。押圧部材７とハウジング２との間には、蛇腹ブーツ８あるいはベローズが延在している。蛇腹ブーツ８は、アクチュエータを汚損や湿分の進入から保護している。図２に破線により示す矢印は、スピンドル２のストロークＨが最大であるときの構成部材を示している。
【００３５】
図３は、遊星転動型ねじ山付きスピンドル（ＰＷＧ）１を備えるアクチュエータの縦断面図である。ＰＷＧ１は、電動モータにより発生させたロータＲの回転運動をＰＷＧ１のスピンドル３の軸方向のストローク運動に変換する。このために、スピンドル３の第１の端部３．１は、ハウジング２に、ひいては駆動装置のステータＳに関して相対回動不能に保持されており、本図に示すスピンドル３が退入した状態において、電子装置構成群５内、ひいては電子装置ハウジング６内に突入している。スピンドル３の第２の端部３．２には、押圧部材７が相対回動不能に配置されている。押圧部材７とハウジング１との間には、蛇腹ブーツ８が延在している。スリーブ４は、リングギヤ４．１を取り囲んでいる。リングギヤ４．１は、遊星ローラ４．２と係合している。遊星ローラ４．２は、両側の遊星ローラキャリア４．３内で支持されており、スピンドル３と噛み合っている。スリーブ４と、スリーブ４内に支持された遊星キャリア４．３とは、軸方向で固定され、駆動装置のロータＲに相対回動不能に結合され、回転軸線Ａ周りに駆動可能である。スピンドル３は、相対回動不能に支持されているので、ロータＲと、スリーブ３内に支持された遊星ローラキャリア４．３とが回転すると、遊星ローラ４．２を介して軸方向のストロークＨを行なう。ロータＲと、ロータＲとともに回転する構成部材とは、軸受１６を介してハウジング１に支持されている。スピンドル３の軸方向の位置をスピンドル３の回転とリードとを介して特定すべく、ロータ側には信号発生器１５が、ハウジング側には回転センサ１５．１が配置されている。
【００３６】
基準点を特定するために、ばねセットＦが設けられる。
【００３７】
図４及び５は、ロータ構成群及びスピンドル３を示し、図６は、ロータ構成群の遊星転動型ねじ山付きスピンドル（ＰＷＧ）１を示している。ロータ構成群は、ロータＲから形成される。ロータＲは、相対回動不能にロータキャリア９に被嵌されている。ロータキャリア９内には、ＰＷＧ１の、ロータＲとともに回転する部材が収容されている。ロータＲは、磁石キャリア１０（Ｅｉｓｅｎｒｕｅｃｋｅｎ／裏鉄）を有している。磁石キャリア１０の周りには、半径方向外側に磁石１１が配置されており、ジャケット１２が設けられている。ロータキャリア９には、雌ねじ山９．１と、半径方向内向きの第１のフランジ９．２とが設けられている（図８も参照）。さらにキャリア要素１３が設けられており、キャリア要素１３は、雄ねじ山１３．１と、半径方向内向きの第２のフランジ１３．２とを有している（図７も参照）。ロータキャリア９とキャリア要素１３とは、雌ねじ山９．１と雄ねじ山１３．１とを介して互いに螺合されており、ロータキャリア９とキャリア要素１３とが互いに螺合されるときに、スリーブ４の、個別に符号を付すことはしない両半部が、軸方向で互いに対して締め付けられるので、第１のフランジ９．２と第２のフランジ１３．２との間においてスリーブ４が軸方向で固定される。螺合後、ロータキャリア９と、キャリア要素１３と、スリーブ４とは、相対回動不能に互いに結合されている。この場合、ねじ結合は、付加的に、意図せず緩解することがないようにされてもよい。ＰＷＧのスリーブ４内には、遊星ローラキャリア４．３が相対回動不能に収容されており、遊星ローラキャリア４．３内には、遊星ローラ４．２が端部側で支持されている。遊星ローラ４．２は、半径方向外側でリングギヤ４．１に噛み合い、半径方向内側でスピンドル３のねじ山３．３に噛み合う（図６も参照）。
【００３８】
キャリア要素１３は、信号発生器キャリア１４を介して信号発生器１５を相対回動不能に保持している。
【００３９】
ロータＲあるいはロータ構成群は、軸受１６を介して支持されている。軸受１６の軸受内レース１６．１は、軸方向で不動かつ相対回動不能にロータキャリア９に結合されており、軸受１６の軸受外レース１６．２は、軸方向で遊びなしかつ相対回動不能に、ここでは図示しないハウジングに、スピンドル３を介して導入される軸方向力をこのハウジングに導出可能であるようにされている。
【００４０】
前述のロータ構成群の回転時、スピンドル３は、軸方向のストローク運動を行なう。このために、スピンドル３は、その第１の端部３．１において相対回動不能かつ軸方向で可動に、外側輪郭１７．１を有するガイドナット１７を介してハウジング側に支持されている。スピンドル３とガイドナット１７とは、相対回動不能に互いに結合されており、好ましくは、スピンドル３の雄ねじ山３．３と、ガイドナット１７の、符号を付していない雌ねじ山とを介して螺合されている。
【００４１】
内部でロータＲが回転することになる、図９及び１０に示すステータＳは、半径方向外側に鉄心１８を有し、半径方向内側に、ここでは図示しない電子装置構成群に通じる端子２０を有するコイル１９を有している。スリーブ状のステータキャリア２１は、内側輪郭２２を有し、内側輪郭２２内には、ガイドナット１７の外側輪郭１７．１が相対回動不能に支持される。
【００４２】
図１１は、基準取り位置（Ｒｅｆｅｒｅｎｚｉｅｒｐｏｓｉｔｉｏｎ）にあるアクチュエータを示している。この位置で、スピンドル３と押圧部材７とは、退入した終端位置にあり、ばねセット７は予圧されている。このために、押圧部材７は、押し出し運動とは逆方向にばねセットＦに向かって、ばねセットＦが密着状態に緊張されるまで走行可能である。図１２に示したゼロ位置では、スピンドル３は、ここでは右向きに小さなストロークを行なっており、ばねセットＦは弛緩されている。これにより、ばねセットの特性線を介してＰＷＧ、ひいてはスピンドル及び押圧部材のゼロ位置あるいは軸方向の基準点を特定することが可能である。
【００４３】
基準点／ゼロ点が既知となった後は、スピンドル３のリードを介して、スピンドル３の軸方向の位置、ひいては、スピンドル３に結合されている押圧部材７の軸方向の位置を特定可能となる。この位置の特定は、ロータ側の信号発生器１５とステータ側の回転センサ１５．１とを介して実現され、所定の回転にスピンドルの所定の送り量が割り当てられる。
【００４４】
スピンドル３及び押圧部材７の最大で押し出された位置あるいは最大のストロークＨは、図１３に示してある。
【００４５】
アクチュエータの短い構造長さを保証すべく、ステータキャリア２１は、ステータキャリア２１内に係合したスピンドル３とともに、電子装置ハウジング６内において対応する空所を有する電子装置構成群５内に突入する。
【符号の説明】
【００４６】
従来技術  図１：
１ａ  遊星転動型ねじ山付きスピンドル  ＰＷＧ
２ａ  ハウジング
３ａ  スピンドル
４ａ  ＰＷＧハウジング
５ａ  電子装置構成群
６ａ  電子装置ハウジング
Ｈ  ストローク
Ｌａ  構造長さＬａ
Ｓａ  スピンドル
Ｒａ  ロータ
本発明による解決手段  図２乃至１３：
１  遊星転動型ねじ山付きスピンドル（ＰＷＧ）
２  ハウジング
３  スピンドル
３．１  スピンドルの第１の端部
３．２  スピンドルの第２の端部
３．３  ねじ山
４  スリーブ
４．１  リングギヤ
４．２  遊星ローラ
４．３  遊星ローラキャリア
５  電子装置構成群
６  電子装置ハウジング
７  押圧部材
８  蛇腹ブーツ
９  ロータキャリア
９．１  雌ねじ山
９．２  第１のフランジ
１０  磁石キャリア
１１  磁石
１２  ジャケット
１３  キャリア要素
１３．１  雄ねじ山
１３．２  第２のフランジ
１４  信号発生器キャリア
１５  信号発生器
１５．１  回転センサ
１６  軸受
１６．１  軸受内レース
１６．２  軸受外レース
１７  ガイドナット
１７．１  外側輪郭
１８  鉄心
１９  コイル
２０  端子
２１  ステータキャリア
２２  内側輪郭
Ｆ  ばねセット
Ｈ  ストローク
Ｌ  構造長さ
Ｒ  ロータ
Ｓ  ステータ
Ｓ１  信号発生器
Ｓ２  回転センサ
【図１】
0006632537.tif 000002
【図２】
0006632537.tif 000003
【図３】
0006632537.tif 000004
【図４】
0006632537.tif 000005
【図５】
0006632537.tif 000006
【図６】
0006632537.tif 000007
【図７】
0006632537.tif 000008
【図８】
0006632537.tif 000009
【図９】
0006632537.tif 000010
【図１０】
0006632537.tif 000011
【図１１】
0006632537.tif 000012
【図１２】
0006632537.tif 000013
【図１３】
0006632537.tif 000014